(57)【要約】【課題】  汚れが付着し難く、かつ汚れが付着しても容易に除去でき、さらに、収納部材を任意の位置に移動させることのできるバックガードカバーを提供すること。【解決手段】  シンク１４が形成されたカウンター１３の後部から上方に延びるバックガード１８の上部を覆うとともに、収納部材４１を移動可能に支持するバックガードカバー２０の本体部分を、バックガード覆い部２２と、中間部２３と、ハンガーレール２４とを一体にして構成した。バックガード覆い部２２でバックガード１８の前面上端部を被覆し、中間部２３の前部を、バックガード覆い部２２の上端から後側上方に延びる傾斜片２３ｂで構成した。ハンガーレール２４は、固定片２５と、天井片２６と、上部前面片２７と、係合片２８とで構成し、バックガード覆い部２２と上部前面片２７との間及び固定片２５と係合片２８との間に、収納部材４１の屈曲部４２ａを挿入できる隙間を設けた。【選択図】  図８
2014090980.tif 000002
【特許請求の範囲】
【請求項１】
壁部に沿って配置され上面にシンクが形成されたカウンターの後部から前記壁部に沿って上方に延びるバックガードの上部を覆うとともに、収納部材を移動可能に支持するバックガードカバーであって、
前記バックガードの前面上端部分に沿って配置されるバックガード覆い部と、
前記バックガード覆い部の上方に位置し、前面が前記バックガード覆い部の上端から後側上方に延びる傾斜面で構成された中間部と、
前記中間部の上端から上方に延びて前記壁部に固定される固定片と、前記固定片の上端から前方に延びる天井片と、前記天井片の前端から下方に延びてその下端部と前記バックガード覆い部の上端部との間に前記収納部材の上端部を挿入できる隙間を設けて形成された上部前面片と、前記上部前面片の下端から後方に延びてその後端部と前記固定片の下部との間に前記収納部材の上端部を挿入できる隙間を設けて形成された係合片とからなるハンガーレールとを備え、
前記バックガード覆い部、前記中間部及び前記ハンガーレールが一体に形成されていることを特徴とするバックガードカバー
【請求項２】
前記カウンターにおける前記シンクの近傍に水栓が設けられており、前記バックガード覆い部の上端部が前記水栓の吐水口よりも高い位置になるようにして設置されている請求項１に記載のバックガードカバー。
【請求項３】
前記バックガード覆い部の前面と、前記上部前面片の前面とが同一面上に位置するように形成されている請求項１または２に記載のバックガードカバー。
【請求項４】
前記中間部が、前記バックガード覆い部の上端から後方に延びる水平片と、前記バックガード覆い部の上端から後側上方に延びる傾斜片とで構成されている請求項１ないし３のうちのいずれか一つに記載のバックガードカバー。
【発明の詳細な説明】
【技術分野】
【０００１】
本発明は、上面にシンクが形成されたカウンターの後部から上方に延びるバックガードの上部を覆うとともに、収納部材を移動可能に支持するバックガードカバーに関する。
【背景技術】
【０００２】
従来から、システムキッチンや流し台のシンクの後部には、バックガードが設けられており、このバックガードの上部には、バックガードカバーが取り付けられている（例えば、特許文献１参照）。この水切カバー（バックガードカバー）は、バックガード部の上端面及び前面上部を覆うバックガードカバー部と、壁面に取り付けられたタイルの下端部を覆うタイルカバー部と、バックガードカバー部とタイルカバー部との間に設けられ、壁面におけるバックガード部とタイルとの間の部分に、収納部材が取り付けられる取付け部とで構成されている。そして、収納部材がねじによって固定されている。
【先行技術文献】
【特許文献】
【０００３】
【特許文献１】実開平６−５０５３８号公報
【発明の概要】
【０００４】
しかしながら、前述した水切りカバーでは、バックガードカバー部の上部がバックガード部の上端面に沿って水平に配置されているため、水栓から出た水が飛び散ったときには、溜まりやすくなる。このため、バックガードカバー部の上部に汚れが付着しやすくなる。また、バックガードカバー部と取付け部との間は直角の入隅部になっているため、この部分も汚れ易く、さらに清掃の際には、その汚れを除去し難くなる。また、前方からバックガードカバー部と取付け部との入隅部が見えるため美観を損なうという問題もある。さらに、収納部材が固定されているため、状況に応じて収納部材を移動させながら使用することができないという問題もある。
【０００５】
本発明は、前述した問題に対処するためになされたもので、その目的は、汚れが付着し難く、かつ汚れが付着しても容易に除去でき、さらに、ハンガーレールに支持された収納部材を任意の位置に移動させることのできるバックガードカバーを提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係るバックガードカバーの構成上の特徴は、壁部（１１）に沿って配置され上面にシンク（１４）が形成されたカウンター（１３）の後部から壁部に沿って上方に延びるバックガード（１８）の上部を覆うとともに、収納部材（４１）を移動可能に支持するバックガードカバー（２０）であって、バックガードの前面上端部分に沿って配置されるバックガード覆い部（２２）と、バックガード覆い部の上方に位置し、前面がバックガード覆い部の上端から後側上方に延びる傾斜面で構成された中間部（２３）と、中間部の上端から上方に延びて壁部に固定される固定片（２５）と、固定片の上端から前方に延びる天井片（２６）と、天井片の前端から下方に延びてその下端部とバックガード覆い部の上端部との間に収納部材の上端部（４２ａ）を挿入できる隙間を設けて形成された上部前面片（２７）と、上部前面片の下端から後方に延びてその後端部と固定片の下部との間に収納部材の上端部を挿入できる隙間を設けて形成された係合片（２８）とからなるハンガーレール（２４）とを備え、バックガード覆い部、中間部及びハンガーレールが一体に形成されていることにある。
【０００７】
本発明に係るバックガードカバーは、バックガードの前面上端部分を覆うバックガード覆い部と、前面が傾斜面で構成された中間部と、収納部材を移動可能に支持するハンガーレールとを備えている。そして、ハンガーレールの固定片を壁部に固定することによって、バックガードカバーはバックガードの上方に設置されている。このため、バックガードに、高さのばらつきや傾きがあったりした場合でも、バックガード前面上端部がバックガード覆い部で覆われるため、前方から見た外観は、一定の美観を備えた状態になる。言い換えると、外観を一定にしながら、バックガードの上端面に対するバックガードカバーの位置を調節することができる。
【０００８】
さらに、バックガード覆い部の下端部が、バックガードの上端部よりも下方に位置しているため、バックガードの上端面や裏面側に水が浸入し難い。また、中間部の前面を傾斜面で構成しているため、バックガード覆い部の上端部と上部前面片の下端部との隙間から中間部の傾斜面側に水が入っても、その水は傾斜面およびバックガード覆い部に沿って下方のバックガード側に流れていく。このため、バックガードカバーの内部に水が溜まって汚れが付着するといったことが生じ難くなる。また、バックガードカバーの内部に汚れが付着したとしても、バックガード覆い部と固定片とが傾斜面を介して連なり入隅部が鈍角に形成されるため、その汚れを容易に拭き取ることができる。ここで、バックガードカバーの内部とは、バックガード覆い部、中間部、固定片、天井片、上部前面片で形成された空間を言う。
【０００９】
さらに、バックガード覆い部の上端部と上部前面片の下端部との間に前後方向に開口して、収納部材の上端部を挿入できる隙間が設けられ、係合片の後端部と固定片の下部との間に上下方向に開口して、収納部材の上端部を挿入できる隙間が設けられている。ここで、収納部材の上端部にはハンガーレールに係合できる係合部が形成されている。さらに、収納部材の上端側部分を、係合片の後端部とバックガード覆い部の上端部とに当接できるように屈曲させることで、収容部材の自重を利用して、収容部材をバックガードカバーに取り付けることができる。この場合、収容部材は固定でなく、係合片とバックガード覆い部とに引っ掛けるだけであるため、ハンガーレールに沿って自由にスライドさせることができる。
【００１０】
なお、本発明に係るカウンターは室内の壁面に沿って配置されるものであってもよいし、キッチンの使用者がリビング側に向くように配置される対面式のものであってもよい。カウンターが室内の壁面に沿って配置される場合は、本発明に係る壁部は室内の壁面になり、バックガードカバーは、固定片を介して室内の壁面に固定される。また、カウンターが対面式の場合は、本発明に係る壁部は、カウンターの後方に配置されたキャビネットの背面や、カウンターにおけるシンクの後部に設けられた高さの低い壁等の壁面になり、バックガードカバーは、固定片を介してこれらの壁部に固定される。
【００１１】
また、本発明に係るバックガードカバーの他の構成上の特徴は、カウンターにおけるシンクの近傍に水栓（１７）が設けられており、バックガード覆い部の上端部が水栓の吐水口（１７ａ）よりも高い位置になるようにして設置されていることにある。
【００１２】
本発明によると、バックガード覆い部と上部前面片との隙間の最下部であるバックガード覆い部の上端部が、水栓の吐水口よりも高い位置にあるため、水栓の吐水口から吐出された水が直接バックガードカバーの内部に入り難い。また、水栓から吐出された水が、シンクの底面や、洗いものをしている使用者の手や食器等から跳ね返った場合にも、バックガード覆い部の上端部の位置が高いため、水はバックガードカバーの内部に入り難くなる。これによって、バックガードカバーの内部に汚れが発生することがさらに確実に防止される。また、バックガード覆い部の上端部の位置が高くなることによって、バックガードの高さも高くなるため、美観が増すとともに清掃がし易くなる。なお、この場合、バックガード覆い部の上端部は、カウンターの上面から１００ｍｍ〜１８０ｍｍ上方に位置していることが好ましく、最も好ましいのは、１４０ｍｍ程度上方に位置していることである。
【００１３】
本発明に係るバックガードカバーのさらに他の構成上の特徴は、バックガード覆い部の前面と、上部前面片の前面とが同一面上に位置するように形成されていることにある。本発明によると、バックガードカバーの前面の清掃が容易になるとともに、美観が増すようになる。
【００１４】
また、天井片の上面と、上部前面片の前面と、係合片の下面とを覆うレールカバーをハンガーレールに着脱可能に取り付けられていることが好ましい。この場合、上部前面片に前後に貫通するねじ挿通穴を形成するとともに、固定片におけるねじ挿通穴に対向する部分に前後に貫通するねじ係合穴を形成して、頭部とねじ部とからなるねじをねじ挿通穴を挿通させて頭部をねじ係合穴に係合させた状態でねじ部を壁部に螺合させることにより固定片を壁部に固定するようにする。
【００１５】
これによると、バックガードカバーは、バックガード覆い部、中間部及びハンガーレールからなる本体部分とレールカバーとで構成されるようになる。そして、バックガードカバーの本体部分の壁部への固定が、上部前面片の前面側からねじをねじ挿通穴に通し、そのねじの頭部をねじ係合穴に係合させた状態でねじ部壁部に螺合させることにより行えるため、本体部分を固定する操作が容易になる。そして、バックガードカバーの本体部分を壁部に固定したのちに、天井片の上面と、上部前面片の前面と、係合片の下面とをレールカバーで覆うため、前方からねじ挿通穴が見えなくなり、ねじ挿通穴を設けることによって美観が損なわれることを防止できる。
【００１６】
なお、このレールカバーは、可撓性を備えた部材で構成することが好ましい。これによると、レールカバーをハンガーレールの側方からスライドさせて取り付けるのではなく、レールカバーにおける天井片の上面を覆う部分と、係合片の下面とを覆う部分との端部間を広げるようにして、ハンガーレールの前方から取り付けることができる。これによると、レールカバーのハンガーレールへの取り付けが極めて容易になる。また、レールカバーにおける天井片の上面を覆う部分と天井片の上面及び、レールカバーにおける係合片の下面とを覆う部分と係合片の下面には、それぞれ係合可能な突部と凹部とからなる係合部を設けておくことが好ましい。
【００１７】
本発明に係るバックガードカバーのさらに他の構成上の特徴は、中間部が、バックガード覆い部の上端から後方に延びる水平片（２３ａ）と、バックガード覆い部の上端から後側上方に延びる傾斜片（２３ｂ）とで構成されていることにある。
【００１８】
本発明によると、水平片と傾斜片との間に空間を形成しているため、中間部を形成する部分の材料を少なくしてコストを低減できるとともにバックガードカバーの軽量化が図れる。また、水平片と傾斜片との間に形成される空間を、バックガードカバーの端部に、保護用のキャップを取り付ける場合の係合部として利用することができる。この場合、キャップに、水平片と傾斜片との間に係合できる突起と、天井片と上部前面片との角部に係合できる突起を設けることにより、キャップをバックガードカバーの端面に着脱可能に固定することができる。
【図面の簡単な説明】
【００１９】
【図１】本発明の一実施形態に係るバックガードカバーを備えたキッチンシステムを示した斜視図である。
【図２】キッチンシステムの内部を示した断面図である。
【図３】バックガードの上端部をバックガードカバーで覆った状態を示した断面図である。
【図４】バックガードカバー本体を示しており、（ａ）は正面図、（ｂ）は側面図である。
【図５】図４（ａ）の５−５断面図である。
【図６】レールカバーを示した側面図である。
【図７】レールキャップを示しており、（ａ）は平面図、（ｂ）は正面図、（ｃ）は右側面図、（ｄ）は裏面図、（ｅ）は下面図である。
【図８】バックガードの上端部を覆ったバックガードカバーに収納部材を取り付けた状態を示した断面図である。
【発明を実施するための形態】
【００２０】
以下、本発明の一実施形態を図面を用いて説明する。図１及び図２は、同実施形態に係るバックガードカバー２０を備えたキッチン１０を示している。このキッチン１０は、壁部１１に沿って設置されており、キャビネット本体１２の上部に設けられたカウンター１３にシンク１４と加熱用のＩＨヒータ１５とを並べて配置している。また、キャビネット本体１２内には、複数の引き出し１６ａが設けられている。さらに、カウンター１３におけるシンク１４の近傍には、水栓１７が取り付けられている。そして、カウンター１３の後部からは、バックガード１８が壁部１１に沿って上方に延びており、バックガードカバー２０は、バックガード１８の上部に設置されている。このバックガードカバー２０の下端部は、水栓１７の吐水口１７ａよりも高い位置に位置している。
【００２１】
バックガードカバー２０は、バックガード１８の上縁部に沿って水平方向に延びており、図３に示したように、カバー本体２１と、レールカバー３１と、レールキャップ３４とで構成されている。以下、図３の左側を前方、右側を後方として説明する。カバー本体２１は、左右に延びる長尺の部材からなっており、図４（ａ），（ｂ）及び図５に示したように、バックガード覆い部２２、中間部２３及びハンガーレール２４で構成されている。バックガード覆い部２２は、カバー本体２１の前面下部を構成する部分で高さ方向の長さを一定に保って左右に延びる板状に形成されている。
【００２２】
中間部２３は、バックガード覆い部２２の上端から後方に延びる水平片２３ａと、水平片２３ａの前端側部分から後部側上方に傾斜して延びる傾斜片２３ｂとで構成されており、水平片２３ａの後端には、上方に突出する突出片２３ｃが形成されている。この突出片２３ｃの後面と傾斜片２３ｂの上端（後端）とは、突出片２３ｃの後面全体が壁部１１の表面に当接したときに、傾斜片２３ｂの上端部も壁部１１の表面に当接するように構成されている。また、水平片２３ａとバックガード覆い部２２との厚みは略同じに設定され、傾斜片２３ｂの厚みはそれよりも少し厚くなるように設定されている。
【００２３】
ハンガーレール２４は、傾斜片２３ｂの上端から上方に延びる固定片２５と、固定片２５の上端から前方に延びる天井片２６と、天井片２６の前端から下方に延びる上部前面片２７と、上部前面片２７の下端からやや下方側の後方に突出した係合片２８とで構成されている。固定片２５は後面の前後方向の位置を突出片２３ｃの後面に合わせて形成されており、左右方向に一定間隔を保って前後に貫通する複数のねじ係合穴２５ａ（図４（ａ）には１個しか図示していない）が形成されている。このねじ係合穴２５ａは、前部側から後部側に向けて徐々に直径が小さくなるように形成されている。
【００２４】
天井片２６は、カバー本体２１の上端部を構成する部分で、前後方向の長さが水平片２３ａと同じに設定されている。また、天井片２６は、水平片２３ａと上下に間隔を保って平行して形成されている。この天井片２６の後縁部には上方に突出する小突条２６ａが形成され、その小突条２６ａと少し間隔を保って小突条２６ａの前方に小溝２６ｂが形成されている。
【００２５】
上部前面片２７は、カバー本体２１の前面上部を構成する部分で、天井片２６の前端から固定片２５に平行して下方に延びている。また、上部前面片２７の前面の前後方向の位置は、バックガード覆い部２２の前面の前後方向の位置と一致するように設定されており、上部前面片２７の下端部とバックガード覆い部２２の上端部との間には隙間が形成されている。この隙間の上下方向の寸法は、上部前面片２７やバックガード覆い部２２の上下方向の長さよりも少し大きくなるように設定されている。そして、上部前面片２７における固定片２５のねじ係合穴２５ａに対向する部分（前方から見て重なる部分）に前後に貫通する複数のねじ挿通穴２７ａが形成されている。このねじ挿通穴２７ａの直径は、ねじ係合穴２５ａの前部の直径と同じに設定されている。
【００２６】
また、固定片２５、天井片２６及び上部前面片２７の厚みは、それぞれ傾斜片２３ｂの厚みと略同じに設定されている。係合片２８は、先端部と、傾斜片２３ｂや固定片２５との間隔が上部前面片２７やバックガード覆い部２２の上下方向の長さと同程度になるようにして、後方側やや下方に延びており、固定片２５、天井片２６等の厚みよりも少し薄い突出片で構成されている。この係合片２８の下面における先端近傍部分には、係合片２８の先端縁部に沿って左右に延びる小溝２８ａが形成されている。
【００２７】
レールカバー３１は、側面視による形状が、図６に示したように略Ｌ形に形成されており、ハンガーレール２４の天井片２６、上部前面片２７及び係合片２８を覆うことのできる大きさに形成されている。このレールカバー３１は、天井片２６の上面を覆う上部覆い部３１ａと、上部前面片２７の前面を覆う前部覆い部３１ｂと、係合片２８の下面を覆う下部覆い部３１ｃとで構成されている。そして、上部覆い部３１ａの下面における後端近傍には、天井片２６の小溝２６ｂに係合できる小突条３２ａが形成されている。この小突条３２ａが小溝２６ｂに係合したときに、上部覆い部３１ａの後端部は小突条２６ａに当接し、このとき、上部覆い部３１ａの上面と小突条２６ａの上端との高さは同じになる。
【００２８】
前部覆い部３１ｂは、上下方向の長さが、上部前面片２７の上下方向の長さよりも長くなった左右に長い板状に形成されている。そして、下部覆い部３１ｃは、側方から見た状態で、前部覆い部３１ｂの下端部から下方に突出半円を描くようにした屈曲部を形成したのちに真っ直ぐに後方に延びる前後方向の長さが短い板状に形成されている。この下部覆い部３１ｃの上面における後端近傍には、係合片２８の小溝２８ａに係合できる小突条３２ｂが形成されている。
【００２９】
このレールカバー３１は、薄い板で構成されて可撓性を有しており、上部覆い部３１ａを天井片２６の上面に沿わせてスライドさせるようにして、前方からハンガーレール２４に取り付けることができる。この場合、下部覆い部３１ｃの先端部は、係合片２８の下面に沿って下方に撓むようにして後方に移動し、上部覆い部３１ａの小突条３２ａが小溝２６ｂに係合するときに、下部覆い部３１ｃの小突条３２ｂも小溝２８ａに係合する。そして、この小突条３２ｂが、小溝２８ａに係合したときに、係合片２８と下部覆い部３１ｃとの間には隙間が形成される。また、下部覆い部３１ｃの前端に下方に突出する屈曲部を設けたため、レールカバー３１をハンガーレール２４から取り外す際に、この屈曲部に指を掛けることにより、取り外しが容易になる。
【００３０】
レールキャップ３４は、図７（ａ）〜（ｅ）に示したように、キャップ本体３４ａに、嵌合凸部３４ｂ，３４ｃを設けて構成されている。キャップ本体３４ａは、レールカバー３１が取り付けられた状態のカバー本体２１からバックガード覆い部２２を除いた部分の側面を隙間の部分も含めて覆うことのできる略四角形の板状に形成されている。嵌合凸部３４ｂは、天井片２６の前部側部分、上部前面片２７及び係合片２８で囲まれる空間に、ハンガーレール２４の端面側から挿し込める断面形状が略四角形の筒状体の上面、前面お及び下面にそれぞれ左右に延びる四角形の凸起３５を形成して構成されている。
【００３１】
嵌合凸部３４ｂの上面と下面には、それぞれ１個の凸起３５が形成され、前面には、２個の凸起３５が上下に並んで形成されている。嵌合凸部３４ｃは、水平片２３ａ、傾斜片２３ｂ及び突出片２３ｃで囲まれる空間に、ハンガーレール２４の端面側から挿し込める断面形状が三角形の筒状体の各面にそれぞれ左右に延びる四角形の凸起３６を形成して構成されている。嵌合凸部３４ｃは、三角形の断面の角部を、キャップ本体３４ａの後側下部の角部近傍に合わせて配置されており、下面と傾斜面とには、それぞれ２個の凸起３６が前後に並んで形成され、後面の下部に１個の凸起３６が形成されている。嵌合凸部３４ｂ，３４ｃは、それぞれ複数の凸起３５，３６が設けられることによって、レールキャップ３４がレールカバーから外れることを防止する。
【００３２】
なお、図７（ａ）〜（ｅ）には、ハンガーレール２４の左端部に取り付けられるレールキャップ３４が示されているが、ハンガーレール２４の右端部に取り付けられるレールキャップは、このレールキャップ３４と左右対称に形成される。また、このレールキャップ３４等は、通常は、ハンガーレール２４の左右両端に取り付けられるが、ハンガーレール２４の端部側に壁部が位置する場合等、取り付けができない場合には、どちらか一方だけにレールキャップを取付ける場合もある。
【００３３】
このように構成されたカバー本体２１、レールカバー３１及びレールキャップ３４からなるバックガードカバー２０を、バックガード１８の上方に取り付ける場合には、まず、カバー本体２１を、頭部３７ａとねじ部３７ｂとからなるねじ３７を用いて壁部１１に固定する。この場合、まず、バックガード覆い部２２の後面に、両面テープ等の接着部材を介してスポンジからなるシール材３８を貼り付ける。そして、シール材３８が貼り付けられたカバー本体２１を、バックガード１８の上方の所定位置に位置合わせする。
【００３４】
カバー本体２１は、水平片２３ａをバックガード１８の上端面に当接させるのではなく、バックガード覆部２２がバックガード１８の前面上端部を覆うことができるように予め設定された高さに合わせる。この場合の設定高さは、カウンター１３の上面からバックガード覆部２２の上端部までの高さが１４０ｍｍになるように設定されている。なお、水平片２３ａがバックガード１８の上端面に当接させてもよい。
【００３５】
そして、複数のねじ３７をそれぞれ上部前面片２７の前方からねじ挿通穴２７ａを挿通させて、さらに、そのねじ部３７ｂを固定片２５の係合穴２５ａを通して壁部１１に螺合させる。これによって、ねじ３７の頭部３７ａが係合穴２５ａの周縁部に係合して、カバー本体２１は、壁部１１に固定される。このとき、シール材３８は、バックガード１８とバックガード覆い部２２とによって押圧されて収縮する。このシール材３８は、水の浸入を防止する機能の他、クッション材としても機能する。
【００３６】
つぎに、前方側からハンガーレール２４にレールカバー３１を取り付けて、その両端部にレールキャップ３４を取り付ける。これによって、図３に示したように、バックガード１８の上部にバックガードカバー２０が取り付けられた状態になる。なお、バックガード１８の後面における上端近傍部分と壁部１１との間には、シール材３８と同様のスポンジからなるシール材１９が設置され、バックガード１８の後面上端と壁部１１との間には、シリコーン１９ａなどでコーキングされている。
【００３７】
また、バックガードカバー２０のハンガーレール２４には、図１に示したように、収納部材４１を移動可能に組み付けることができる。この収納部材４１は、洗剤やスポンジ等を置くためのもので、水平に配置された四角枠体の左右の両辺に、前後に間隔を保って左右に延びる複数の金属棒を連結して構成される収納部本体４１ａの後部両側から、上方に一対の吊棒４２を延ばして構成されている。この吊棒４２の上端側部分は、図８に示したように、屈曲部４２ａで構成されている。この屈曲部４２ａは、吊棒４２の後側上方に曲がって延びたのちに、再度曲がって上方やや後側に延びており、先端には、直径が屈曲部４２ａの線径よりも大きい球状部４２ｂが形成されている。また、屈曲部４２ａの下方の曲部の外周には、高摩擦を有する保護部４２ｃが取り付けられている。
【００３８】
屈曲部４２ａは、下方の曲部に取り付けられた保護部４２ｃが、バックガード覆い部２２と中間部２３との境界部に位置したときに、球状部４２ｂが係合片２８の後端部よりも僅かに上方に位置するように形成されている。そして、そのとき、屈曲部４２ａの保護部４２ｃが取り付けられた部分と球状部４２ｂとの間の部分は、傾斜片２３ｂおよび固定片２５と少し間隔を保った位置に保持される。収納部材４１をハンガーレール２４に支持させるときには、収納部本体４１ａと、球状部４２ｂとを同じ程度の高さにした状態で、球状部４２ｂ側を、バックガード覆い部２２とレールカバー３１との間の隙間に挿し込んで、収納部本体４１ａを下方に移動させながら、球状部４２ｂ側を、傾斜片２３ｂおよび固定片２５に沿わせるようにして上方に移動させることにより、ハンガーレール２４に係合させることができる。このとき、傾斜片２３ｂが収納部材の球状部４２ｂを係合片２８と固定片２５とで形成される隙間へ差し込むときのガイドとなるので、収納部材４１をハンガーレール２４に係合させることが容易になる。
【００３９】
この状態からハンガーレール２４から収納部材４１を外す場合には、収納部本体４１ａが球状部４２ｂと同程度の高さに位置するように、収納部材４１を球状部４２ｂを中心に回転させなければならない。ハンガーレール２４に係合した収納部材４１には、その自重や荷重によって、下方向への力が付加されているので、屈曲部４２ａの球状部４２ｂまたはその近傍が係合片２８の後端部に押さえ付けられ、保護部４２ｃがバックガード覆い部２２と中間部２３との境界部に押さえ付けられて、収納部材４１は確実にハンガーレール２４に係合する。また、収納部材４１をハンガーレール２４に沿って移動させる場合には、収納部材４１を少し上方に持ち上げることにより移動可能になり、任意の場所で収納部材４１を放すことにより、屈曲部４２ａをハンガーレール２４に係合させて、その場所に収納部材４１を静止させることができる。
【００４０】
以上のように、本実施形態に係るバックガードカバー２０は、カバー本体２１と、レールカバー３１と、レールキャップ３４とで構成されている。そして、カバー本体２１は、バックガード１８の前面上端部を覆うバックガード覆い部２２と、前面が傾斜片２３ｂで構成された中間部２３と、収納部材４１を移動可能に支持するとともに壁部１１に固定されるハンガーレール２４とで構成されている。このため、バックガード１８に、高さのばらつきや傾きがあったりして、バックガード１８の上端面と中間部２３との間に隙間が生じていても、その隙間はバックガード覆い部２２によって覆われるため、前方から見た外観は、一定の美観を備えたものになる。
【００４１】
また、バックガード覆い部２２の下端部がバックガード１８の上端部よりも下方に位置していることに加えて、バックガード覆い部２２とバックガード１８との間にシール材３８が設けられているため、バックガード１８の上端面や裏面側に水が浸入することを防止できる。さらに、バックガード１８と壁部１１との間にも、シール材１９やコーキング材１９ａが設けられているため、例え、バックガード１８の上端面に水が浸入したとしても、その水がバックガード１８の裏面側に浸入することは防止できる。
【００４２】
また、中間部２３の前面を傾斜片２３ｂで構成しているため、バックガード覆い部２２とハンガーレール２４との間の隙間からカバー本体２１の内部に水が入っても、その水は傾斜片２３ｂおよびバックガード覆い部２２に沿って下方に流れていく。このため、中間部２３に水が溜まって汚れが付着するといったことが生じ難くなる。また、中間部２３に汚れが付着したとしても、中間部２３の前面を構成する傾斜片２３ｂには角部がないため、その汚れを容易に拭き取ることができる。
【００４３】
さらに、ハンガーレール２４の前面を構成する上部前面片２７の下端部からは、後方に向かって係合片２８が突出している。そして、バックガード覆い部２２の上端部から傾斜片２３ｂの前面にかけての部分の前方には、前方から上方に曲がりながら、収納部材４１の屈曲部４２ａを挿入できる隙間が設けられている。このため、係合片２８の後端部とバックガード覆い部２２の上端部とに当接できるように屈曲した屈曲部４２ａを備える収納部材４１を、ハンガーレール２４に沿ってスライド移動可能な状態で取り付けることができる。これによって、収納部材４１を邪魔にならない場所に移動させながら調理を行うことができる。
【００４４】
また、バックガード１８の上端近傍に位置するバックガード覆い部２２の上端部が、水栓１７の吐水口１７ａよりも高い位置に位置しているため、水栓１７から吐出された水が直接バックガードカバー２０の内部に入ることはない。また、水栓１７から吐出された水が、シンク１４の底面等から跳ね上がった場合にも、バックガード覆い部２２の上端部の位置が高いため、水はバックガードカバー２０の内部に入り難くなる。これによって、バックガードカバー２０の内部に汚れが発生することがさらに確実に防止される。また、バックガード１８の高さが高くなるため、美観も増すようになるとともに清掃もし易くなる。
【００４５】
さらに、バックガード覆い部２２の前面と、上部前面片２７の前面とが同一面上に位置するように形成されているため、レールカバー３１の前部覆い部３１ｂとバックガード覆い部２２の前面も同一面上に近い位置に位置するようになる。これによると、バックガードカバー２０の前面の清掃が容易になるとともに、美観が増すようになる。また、レールカバー３１が上部前面片２７を覆うため、前方からねじ挿通穴２７ａが見えなくなり、ねじ挿通穴２７ａを設けることによって美観が損なわれることを防止できる。さらに、レールカバー３１は、前方からハンガーレール２４に取り付けることができるため、ハンガーレールへ２４の取り付けが極めて容易になる。
【００４６】
また、中間部２３を、水平片２３ａと、傾斜片２３ｂとで構成して、水平片２３ａと、傾斜片２３ｂとの間に空間を形成している。このため、中間部２３を形成する部分の材料を少なくしてコストを低減できるとともに軽量化が図れる。また、水平片２３ａと傾斜片２３ｂとの間に形成される空間を、レールキャップ３４を取り付ける場合の係合部として利用することができる。
【００４７】
そして、カバー本体２１とレールカバー３１との端部にレールキャップ３４を取り付けることによって、カバー本体２１とレールカバー３１との端部を保護すると共に、カバー本体２１とレールカバー３１との端部を隠して美観を向上することもできる。さらに、屈曲部４２ａに保護部４２ｃを取り付けたため、屈曲部４２ａに当接することによって、バックガード覆い部２２と中間部２３との境界部に傷がつくことを防止できる。また、カバー本体２１に対して屈曲部４２ａが滑り難くなるため、収納部材４１を安定した状態で静止させることができる。
【００４８】
また、本発明に係るバックガードカバーは、前述した各実施形態に限定するものでなく、適宜変更して実施することができる。例えば、前述した実施形態では、壁部１１を室内を区切るための壁部としているが、この壁部１１は、対面式のキッチンのカウンターに設置されたパネル状の壁部であってもよい。また、前述した実施形態では、カウンター１３の上面からバックガード覆い部２２の上端部までの高さを１４０ｍｍにしているが、この高さは１００ｍｍ〜１８０ｍｍの範囲であれば好ましい。また、バックガード覆い部２２の上端部の位置を、水栓１７の吐水口１７ａよりも高い位置にすることにより、バックガード１８の美観の向上や、バックガードカバー２０の汚れ防止の点で大きな効果が生じる。また、本発明に係るバックガードカバーのそれ以外の部分の構成についても本発明の技術的範囲内で適宜変更することができる。
【符号の説明】
【００４９】
１１…壁部、１３…カウンター、１４…シンク、１７…水栓、１７ａ…吐水口、１８…バックガード、２０…バックガードカバー、２２…バックガード覆い部、２３…中間部
２３ａ…水平片、２３ｂ…傾斜片、２４…ハンガーレール、２５…固定片、２５ａ…係合穴、２６…天井片、２７…上部前面片、２７ａ…挿通穴、２８…係合片、４１…収納部材、４２ａ…屈曲部。
【図１】
2014090980.tif 000003
【図２】
2014090980.tif 000004
【図３】
2014090980.tif 000005
【図４】
2014090980.tif 000006
【図５】
2014090980.tif 000007
【図６】
2014090980.tif 000008
【図７】
2014090980.tif 000009
【図８】
2014090980.tif 000010